(57)【要約】      （修正有）【課題】熱水などによる洗浄や消毒作業などを行うことなく、安全且つ確実に配管洗浄用ホースを殺菌およびウィルスの不活性化ができる新規なホース殺菌巻取装置を提供する。【解決手段】ホース殺菌巻取装置１００は、フレーム構造体１１０に、配管洗浄用ホースＨを巻き取る巻取ドラム１２０と、この巻取ドラム１２０を駆動するモーター１３０と、巻取ドラム１２０に巻き取られる配管洗浄用ホースＨを通過させながら紫外線を照射する紫外線光線炉ユニット１４０とを備える。これによって、熱水を用いたり作業員が配管洗浄用ホースＨに直接触れる必要がなくなるため、安全かつ確実に配管洗浄用ホースＨの表面を殺菌して巻き取りおよび収納作業を行うことができる。【選択図】図２
0003229203.tif 000002
【実用新案登録請求の範囲】
【請求項１】
フレーム構造体に、配管洗浄用ホースを巻き取る巻取ドラムと、当該巻取ドラムを駆動するモーターと、前記巻取ドラムに巻き取られる配管洗浄用ホースを通過させながら紫外線を照射する紫外線光線炉ユニットとを備えたホース殺菌巻取装置。
【請求項２】
請求項１にホース殺菌巻取装置において、
紫外線光線炉ユニットは、前記巻取ドラムに巻き取られる配管洗浄用ホースを通過させるパイプ状のホース通路と、当該ホース通路内に紫外線を照射する光源とからなることを特徴とするホース殺菌巻取装置。
【請求項３】
請求項２に記載のホース殺菌巻取り装置において、
前記光源が、深紫外線を照射する深紫外ＬＥＤモジュールからなることを特徴とするホース殺菌巻取装置。
【請求項４】
請求項３に記載のホース殺菌巻取装置において、
前記パイプ状のホース通路が、ＰＴＦＥ樹脂（ポリテトラフルオロエチレン）からなることを特徴とするホース殺菌巻取装置。
【請求項５】
請求項１乃至４のいずれかに記載のホース殺菌巻取り装置において、
前記光源を前記ホース通路の上下に一対設けると共に、その照射方向が対向するように設けたことを特徴とするホース殺菌巻取装置。
【考案の詳細な説明】
【技術分野】
【０００１】
本考案は、排水管清掃などに用いられる配管洗浄用ホースの表面を殺菌しながら自動的に巻き取るためのホース殺菌巻取装置に関するものである。
【背景技術】
【０００２】
一般にマンションや共同住宅などの集合住宅や公共排水管などでは、排水管内に停滞した付着物や堆積物による排水不良や閉塞を防止するために定期的な排水管清掃が行われている。この排水管清掃は、配管洗浄用ホースを配管内に挿入し、そのホース先端に取り付けられたノズルからジェット水流を噴射させて排水管内に停滞した付着物や堆積物を強制的に除去する方法によって行われている。
【０００３】
そして、このような排水管清掃作業が終了したならば、作業員はその配管洗浄用ホースを巻取り作業車で巻き取ったり所定の保管場所に収納することになるが、汚れがひどい場合はそのホースを水洗いしたりその表面をウエスなどで拭き取る作業を行っている。しかし、そのホースの表面に付着した汚れには有害な細菌類やウイルスなどが大量に含まれている可能性が高いため、不衛生であり、感染の不安を抱えたまま作業をしている。
【０００４】
このような点を鑑み、例えば以下の特許文献１では、熱水を噴射するノズルを備えた可とうホースとこのホースを巻き付けるリールや加熱手段、ポンプ、制御部などを筐体内に収容した洗浄装置が開示されている。この洗浄装置では、その可とうホースが雑菌の繁殖場所にならないように、翌日の作業を開始するまでの間、紫外線照射室に入れられて殺菌処理を行ったり、そのノズルから噴射される熱水によって各部位の清掃や消毒を行うようにしている。
【先行技術文献】
【特許文献】
【０００５】
【特許文献１】特開２００１−９２６号公報
【考案の概要】
【考案が解決しようとする課題】
【０００６】
しかしながら、前記従来例のように装置全体を紫外線照射室に収容するにはそのための専用の設備や手間が必要となる上に、紫外線によってホースや装置の各部が劣化してしまうといった不都合がある。また、ホースを巻取った状態で紫外線照射室に収容しても紫外線が当たらない陰になる部分には殺菌効果が無い。さらに、熱水による洗浄や消毒作業を行うためには、その熱水を生成するための熱水供給装置が必要となる上に、高温の熱水を取り扱う都合上、その作業場所の確保、廃水処理等の安全性に配慮しなくてはならないといった煩わしさがある。
【０００７】
そこで、本考案はこれらの課題を解決するために案出されたものであり、その目的は、熱水などによる洗浄や消毒作業などを行うことなく、安全且つ確実に配管洗浄用ホースを殺菌およびウィルスの不活性化ができる新規なホース殺菌巻取装置を提供することにある。
【課題を解決するための手段】
【０００８】
前記課題を解決するために第１の考案は、フレーム構造体に、配管洗浄用ホースを巻き取る巻取ドラムと、当該巻取ドラムを駆動するモーターと、前記巻取ドラムに巻き取られる配管洗浄用ホースを通過させながら紫外線を照射する紫外線光線炉ユニットとを備えたホース殺菌巻取装置である。
【０００９】
このような構成によれば、巻取ドラムをモータで駆動して配管洗浄用ホースを巻き取る際にその配管洗浄用ホースが紫外線光線炉ユニットを通過しながら照射される紫外線に晒されるため、その配管洗浄用ホースの表面に付着した細菌やウィルスが連続的に殺菌および不活性化処理される。これによって、熱水を用いたり作業員が配管洗浄用ホースに直接触れる必要がなくなるため、安全かつ容易に配管洗浄用ホースの表面を殺菌して巻き取りおよび収納作業を行うことができる。
【００１０】
第２の考案は、前記紫外線光線炉ユニットは、前記巻取ドラムに巻き取られる配管洗浄用ホースを通過させるパイプ状のホース通路と、当該ホース通路内に紫外線を照射する光源とからなることを特徴とするホース殺菌巻取装置である。このような構成によれば、巻取ドラムで配管洗浄用ホースを巻き取る際に、パイプ状のホース通路を通過させながら光源から配管洗浄用ホースに対して効率よく紫外線を照射することができる。
【００１１】
第３の考案は、第２の考案において、前記光源が、深紫外線を照射する深紫外ＬＥＤモジュールからなることを特徴とするホース殺菌巻取装置である。深紫外線とは、ＵＶ−Ｃに分類される波長２８０ｎｍ以下の紫外線である。紫外線はその波長領域（約２００ｎｍ〜４００ｎｍ：近紫外線）においてＵＶ−Ａ、ＵＶ−Ｂ、ＵＶ−Ｃに分類される。波長２８０ｎｍ以下の深紫外線（ＵＶ−Ｃ）はその高エネルギーによって細菌内部の核酸に影響を及ぼし、化学変化を起こして新陳代謝を阻害し原形質破壊することによって細菌やウィルスを殺菌または不活性化させることが知られている。従って、光源としてこのような深紫外線を照射する深紫外ＬＥＤモジュールを用いることで配管洗浄用ホースの表面に付着した細菌やウィルスを効率よく殺菌および不活性化処理することができる。
【００１２】
第４の考案は、第３の考案において、前記パイプ状のホース通路が、ＰＴＦＥ樹脂（ポリテトラフルオロエチレン）からなることを特徴とするホース殺菌巻取装置である。ＰＴＦＥ樹脂（ポリテトラフルオロエチレン）は、波長２８０ｎｍ以下の深紫外線（ＵＶ−Ｃ）を効率よく反射させる性質がある。従って、配管洗浄用ホースが通過するホース通路をＰＴＦＥ樹脂で形成し、その一部からその内部に深紫外線を照射すれば、配管洗浄用ホースの表面全体に全方位から深紫外線を照射して効果的に殺菌することができる。
【００１３】
第５の考案は、第１乃至第４のいずれかの考案において、前記光源を前記ホース通路の上下に一対設けると共に、その照射方向が対向するように設けたことを特徴とするホース殺菌巻取装置である。このような構成によれば、配管洗浄用ホースの表面全体にまんべんなく深紫外線を照射して効果的に殺菌することができる。
【考案の効果】
【００１４】
本考案によれば、以下のような優れた効果を発揮する。
１．熱水を用いたり作業員が配管洗浄用ホースに直接触れる必要がなくなるため、安全かつ確実に配管洗浄用ホース表面に付着した細菌やウィルスを殺菌しながら巻き取りおよび収納作業を行うことができる。
２．深紫外線を照射する深紫外ＬＥＤモジュールを光源として用いることで配管洗浄用ホースの表面に付着した細菌やウィルスを効率よく殺菌処理できる。
３．配管洗浄用ホースが通過するホース通路をＰＴＦＥ樹脂で形成することで、配管洗浄用ホースの表面全体に全方位から深紫外線を照射して効果的に殺菌処理できる。
４．光源をホース通路の上下、かつその照射方向が対向するように設けたため、配管洗浄用ホースの表面全体にまんべんなく深紫外線を照射して効果的に殺菌処理できる。
【図面の簡単な説明】
【００１５】
【図１】本発明に係るホース殺菌巻取装置１００の実施の一形態を示す正面図である。
【図２】本発明に係るホース殺菌巻取装置１００の実施の一形態を示す左側面図である。
【図３】（Ａ）は紫外線光線炉ユニット１４０の構成を示す正面図、（Ｂ）はその側面図である。
【図４】紫外線光線炉ユニット１４０内の照射イメージを示す概念図である。
【考案を実施するための形態】
【００１６】
以下、本考案の実施の形態を添付図面を参照しながら説明する。図１および図２は本考案に係るホース殺菌巻取装置１００の実施の一形態を示したものである。図示するようにこのホース殺菌巻取装置１００は、アルミニウムなどの金属で組み立てられたフレーム構造体１１０に、配管洗浄用ホースＨを巻き取る巻取ドラム１２０と、この巻取ドラム１２０を駆動するモーター１３０と、この巻取ドラム１２０に巻き取られる配管洗浄用ホースＨを通過させながら紫外線を照射する紫外線光線炉ユニット１４０と、これらを制御するコントロールパネル１５０とから主に構成されている。
【００１７】
巻取ドラム１２０は、その回転軸１２１が軸受け１２２，１２２に回転自在に軸支されており、その回転軸１２１端部のプーリー１２３がタイミングベルト１２４を介してモーター１３０のプーリー１３１と連結されている。従って、モーター１３０をコントロールパネル１５０で制御することによって巻取ドラム１２０が任意の速度で回転駆動するようになっている。
【００１８】
紫外線光線炉ユニット１４０は、この巻取ドラム１２０に巻き取られる配管洗浄用ホースＨを上下方向に通過させるパイプ状のホース通路１４１と、このホース通路１４１内に深紫外線（ＵＶ−Ｃ）を照射する一対の光源１４２，１４２とから主に構成されている。図３（Ａ）はこの紫外線光線炉ユニット１４０の構成を示す正面図、（Ｂ）はその側面図である。このホース通路１４１は、上下端が開口したＰＴＦＥ樹脂（ポリテトラフルオロエチレン）の管体から構成されており、例えば図４に示すように口径が約９０ｍｍ、長さ１５０〜２００ｍｍ程度の大きさとなっている。
【００１９】
このホース通路１４１は、その上下端および中間部がそれぞれエントランスカバー１４５，１４７および中間フランジ１４６によってフレーム構造体１１０に縦方向（垂直）に支持されており、その上下端から配管洗浄用ホースＨを上下に通過させるようになっている。また、一対の光源１４２，１４２は、この中間フランジ１４６の上下の下ホルダー１４３および上ホルダー１４４にそれぞれその照射方向が対向するように取り付けられている。そして、この光源１４２，１４２のオンオフなどもコントロールパネル１５０で任意に制御されるようになっている。
【００２０】
このような構成をした本考案のホース殺菌巻取装置１００にあっては、図２に示すように配管洗浄用ホースＨをフレーム構造体１１０の下側から紫外線光線炉ユニット１４０内に挿入し、その上部から出た配管洗浄用ホースＨの先端を巻取ドラム１２０に固定した状態でコントロールパネル１５０でモーター１３０を駆動する。すると、図４に示すように巻取ドラム１２０が所定の速度で回転して配管洗浄用ホースＨが連続的に巻き取られると共に、その紫外線光線炉ユニット１４０内を上方向にゆっくりと通過することにより、その配管洗浄用ホースＨの表面全体に付着した細菌やウィルスが殺菌および不活化されることになる。
【００２１】
すなわち、深紫外線（ＵＶ−Ｃ）は重なり合って光の照射が得られない部分には殺菌(不活化)効果がないため、配管洗浄用ホースＨを巻取ドラム１２０に巻き取った状態で深紫外線を照射しても十分な効果が得られないが、本考案のように配管洗浄用ホースＨが重なり合わない状態の巻き付け工程の途中で深紫外線を照射することによって効果的に殺菌(不活化)処理を行うことができる。しかも、従来例のように熱水を用いたり作業員が配管洗浄用ホースに直接触れる必要がなくなるため、安全かつ容易に配管洗浄用ホースＨの表面を殺菌しながら巻き取りおよび収納作業を行うことができる。
【００２２】
このとき巻取ドラム１２０による巻取り速度、すなわち配管洗浄用ホースＨが紫外線光線炉ユニット１４０を通過する速度としては、ホース通路１４１の長さや光源１４２，１４２の光線特性などによって変わってくるが、例えば光源１４２，１４２の光線特性として配光角１２０°、照射距離３０〜４０ｍｍ、照射時間１２０秒とすると、巻取ドラム１２０の回転速度を０．３ｒ／ｍｉｎに設定して配管洗浄用ホースＨがホース通路１４１を通過する速度を約２００ｍｍ／ｍｉｎとすることが望ましい。
【００２３】
すなわち、紫外線による殺菌効果に関する公知技術文献（殺菌灯による水の消毒, 照明学会誌, 36(3), pp.89-96, 1952  岩崎電気株式会社インターネットhttps://www.iwasaki.co.jp/optics/chishiki/uv/02.html1）によると、大腸菌および黄色ブドウ球菌などを９９．９％不活化するのに必要な紫外線照射量は、大腸菌では５．４（ｍＪ／ｃｍ２）、黄色ブドウ球菌では９．１（ｍＪ／ｃｍ２）となっている。従って、紫外線光線炉ユニット１４０に使用する光源１４２，１４２の紫外線照度が０．１６３（ｍＷ／ｃｍ２）であるとすると、紫外線照射量は次で求められる。
【００２４】
紫外線照度０．１６３（ｍＷ／ｃｍ２）×照射時間１２０（秒）＝紫外線照射量１９．６（ｍＪ／ｃｍ２）  
従って、紫外線照度が０．１６３（ｍＷ／ｃｍ２）の光源を用いた場合には、照射時間が１２０秒程度あれば、黄色ブドウ球菌を不活性化するのに必要な照射量の２倍の紫外線照射量が得られるため、充分な殺菌効果が発揮できることが分かる。また、他の菌やインフルエンザウイルス、ノロウィルス、コロナウィルスなどであっても同様な効果が期待できる。
【００２５】
また、さらに本考案は配管洗浄用ホースＨを通過させるホース通路１４１をＰＴＦＥ樹脂（ポリテトラフルオロエチレン）で構成したことから、配管洗浄用ホースＨの表面全体に全方位から深紫外線をまんべんなく照射してより効果的に殺菌処理することができる。すなわち、ホース通路１４１をＰＴＦＥ樹脂で構成することによって照射された紫外線がそのＰＴＦＥ樹脂の表面で次々と反射することにより（豊田合成株式会社：インターネット(https://toyodagosei-led.jp/products/uvled/）、深紫外線がホース通路１４１内で拡散されて全方位から配管洗浄用ホースＨの表面に照射することができる。
【００２６】
また、フレーム構造体１１０に、巻取ドラム１２０やモーター１３０と共に紫外線光線炉ユニット１４０などの必要な構成機器を一体的に備えたことから、運搬や収納なども容易にできる。また、従来例のように熱水洗浄や消毒液を用いる方法では、洗浄時に汚染水が発生してその廃水処理が必要となるが、本考案装置は、作業終了後にそのまま配管洗浄用ホースＨを巻き取るだけで殺菌処理することができるため、ホースの洗浄作業やその洗浄作業で発生した廃水処理などが不要となる。
【符号の説明】
【００２７】
１００…ホース殺菌巻取装置
１１０…フレーム構造体
１２０…巻取ドラム
１３０…モーター
１４０…紫外線光線炉ユニット
１４１…ホース通路
１４２…光源
１５０…コントロールパネル
Ｈ…配管洗浄用ホース
【図１】
0003229203.tif 000003
【図２】
0003229203.tif 000004
【図３】
0003229203.tif 000005
【図４】
0003229203.tif 000006
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
フレーム構造体に、配管洗浄用ホースを巻き取る巻取ドラムと、当該巻取ドラムを駆動するモーターと、前記巻取ドラムに巻き取られる配管洗浄用ホースを通過させながら紫外線を照射する紫外線光線炉ユニットとを備えたホース殺菌巻取装置。
【請求項２】
請求項１にホース殺菌巻取装置において、
紫外線光線炉ユニットは、前記巻取ドラムに巻き取られる配管洗浄用ホースを通過させるパイプ状のホース通路と、当該ホース通路内に紫外線を照射する光源とからなることを特徴とするホース殺菌巻取装置。
【請求項３】
請求項２に記載のホース殺菌巻取り装置において、
前記光源が、深紫外線を照射する深紫外ＬＥＤモジュールからなることを特徴とするホース殺菌巻取装置。
【請求項４】
請求項３に記載のホース殺菌巻取装置において、
前記パイプ状のホース通路が、ＰＴＦＥ樹脂（ポリテトラフルオロエチレン）からなることを特徴とするホース殺菌巻取装置。
【請求項５】
請求項２に記載のホース殺菌巻取り装置において、
前記光源を前記ホース通路の上下に一対設けると共に、その照射方向が対向するように設けたことを特徴とするホース殺菌巻取装置。